(57)【要約】  情報記録媒体（１００）は、レーザ光（ＬＢ）が照射されることで、内周側から外周側に向かう又は外周側から内周側に向かう一の方向に記録情報が記録される第１記録層（Ｌ０）と、レーザ光が照射されることで、一の方向とは異なる他の方向に記録情報が記録される第２記録層（Ｌ１）とを備えており、第１記録層におけるレーザ光をフォーカスインさせるための特定の記録領域、並びに少なくとも特定の記録領域に対応する第２記録層の一の記録領域（１１３ａ）の夫々においては、記録情報が記録される方向が同一である。【特許請求の範囲】
【請求項１】
レーザ光が照射されることで、内周側から外周側に向かう又は外周側から内周側に向かう一の方向に記録情報が記録される第１記録層と、
前記レーザ光が照射されることで、前記一の方向とは異なる他の方向に前記記録情報が記録される第２記録層と
を備えており、
前記第１記録層における前記レーザ光をフォーカスインさせるための特定の記録領域、並びに少なくとも前記特定の記録領域に対応する前記第２記録層の一の記録領域の夫々においては、前記記録情報が記録される方向が同一であることを特徴とする情報記録媒体。
【請求項２】
前記第１及び第２記録層の夫々には、前記記録情報が記録される位置及び方向の少なくとも一方を示すプリアドレスが記録されており、
前記特定領域及び前記一の記録領域の夫々における所定の記録地点の前記プリアドレスは、前記所定の記録地点が前記一の方向に移動するにつれて増加することを特徴とする請求の範囲第１項に記載の情報記録媒体。
【請求項３】
前記一の記録領域に記録される前記プリアドレスは、前記特定の記録領域に記録される前記プリアドレスと同一であることを特徴とする請求の範囲第１項に記載の情報記録媒体。
【請求項４】
前記一の記録領域には、前記第１及び第２記録層の夫々の記録層を識別するための層フラグが記録されることを特徴とする請求の範囲第１項に記載の情報記録媒体。
【請求項５】
前記一の記録領域には、エラー訂正不可能な記録情報が記録されることを特徴とする請求の範囲第１項に記載の情報記録媒体。
【請求項６】
少なくとも前記第２記録層は、スパイラル状又は同心円状の記録トラックを有しており、且つ前記記録情報は前記記録トラックに沿って記録され、
前記一の記録領域の記録トラックは一のスパイラル又は同心円に収束し、該一の記録領域を除く前記第２記録層の他の記録領域の記録トラックは前記一のスパイラル又は同心円と異なる他のスパイラル又は同心円に収束することを特徴とする請求の範囲第１項に記載の情報記録媒体。
【請求項７】
少なくとも前記第２記録層は、スパイラル状又は同心円状の記録トラックを有しており、且つ前記記録情報は前記記録トラックに沿って記録され、
前記一の記録領域の記録トラックは、該一の記録領域を除く前記第２記録層の他の記録領域の記録トラックとの境界部分において、同一のスパイラル又は同心円に収束することを特徴とする請求の範囲第１項に記載の情報記録媒体。
【請求項８】
少なくとも前記第２記録層は、スパイラル状又は同心円状の記録トラックを有しており、且つ前記記録情報は前記記録トラックに沿って記録され、
前記一の記録領域の記録トラックと該一の記録領域を除く前記第２記録層の他の記録領域の記録トラックとの境界部分には、前記記録情報が記録されないミラー領域を備えることを特徴とする請求の範囲第１項に記載の情報記録媒体。
【請求項９】
少なくとも前記第２記録層は、スパイラル状又は同心円状の記録トラックを有しており、且つ前記記録情報は前記記録トラックに沿って記録され、
前記一の記録領域の記録トラックは、該一の記録領域を除く前記第２記録層の他の記録領域の記録トラックに跨って分布することを特徴とする請求の範囲第１項に記載の情報記録媒体。
【請求項１０】
前記特定の記録領域及び前記一の記録領域の少なくとも一方は、当該情報記録媒体に記録されている前記記録情報を管理する管理情報を記録するための管理情報エリアの少なくとも一部であることを特徴とする請求の範囲第１項に記載の情報記録媒体。
【請求項１１】
前記一の記録領域は、前記特定の記録領域と比較して大きいことを特徴とする請求の範囲第１項に記載の情報記録媒体。
【発明の詳細な説明】
【技術分野】
【０００１】
本発明は、例えばＤＶＤ等の情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、複数の記録層により構成される多層型のものも提供されはじめている（たとえば、特許文献１参照）。【０００３】
【特許文献１】特開平９−３２６１３８号公報
【発明の開示】
【発明が解決しようとする課題】
【０００４】
このような多層型の光ディスクでは、複数の記録層のうち所望しない記録層へレーザ光のフォーカスが合ってしまうことがあり、ピックアップの誤動作の原因となっていた。多層型の光ディスクに対応していない既存のプレーヤやレコーダにあっては、所望しない記録層へフォーカスが合ってしまっても、そのままデータの記録等を実行してしまうという問題もあった。【０００５】
本発明は、例えば上述した従来の問題点に鑑みなされたものであり、例えば複数の記録層を有する情報記録媒体に適切に情報の記録し、また記録されたデータを再生することを可能とならしめる情報記録媒体を提供することを課題とする。
【課題を解決するための手段】
【０００６】
（情報記録媒体）
本発明の情報記録媒体は、内周側から外周側に向かう又は外周側から内周側に向かう一の方向に記録情報が記録される第１記録層と、前記レーザ光が照射されることで、前記一の方向とは異なる他の方向に前記記録情報が記録される第２記録層とを備えており、前記第１記録層における前記レーザ光をフォーカスインさせるための特定の記録領域、並びに少なくとも前記特定の記録領域に対応する前記第２記録層の一の記録領域の夫々においては、前記記録情報が記録される方向が同一である。【０００７】
本発明の情報記録媒体によれば、複数の記録層（即ち、第１記録層や第２記録層）の夫々において記録情報を記録することが可能である。第１記録層においては、内周側から外周側に向かう又は外周側から内周側に向かう一の方向に記録情報が記録される。他方、第２記録層においては、一の方向とは異なる（或いは、逆の）他の方向に記録情報が記録される。【０００８】
本発明では特に、第１記録層においてレーザ光がフォーカスインする特定の記録領域における記録情報の記録方向と、該特定の記録領域に対応する第２記録層の一の記録領域における記録情報の記録方向とが同一である。ここに、本発明における「フォーカスイン」とは、例えば記録情報の記録時或いは再生時において、レーザ光を照射することで、該レーザ光の焦点を特定の記録領域に合わせる動作を示す趣旨である。特に、再生動作及び記録動作の最初に（具体的には、当該情報記録媒体の装填後最初に）レーザ光の焦点が合う動作を示すものであってもよい。【０００９】
従って、例えば後述の情報記録再生装置をして、例えば本来第１記録層にフォーカスインしたい場合に、誤って第２記録層の一の記録領域にフォーカスインしてしまったとしても、その記録領域における記録情報の記録方向が第１記録層のそれと同一であるため、光ピックアップの例えば内周側への暴走という不都合を避けることができる。言い換えれば、一の記録領域の記録方向が特定の記録領域の記録方向と同一であるがゆえに、特定の記録領域にフォーカスインした場合と同様に、一の記録領域においてもフォーカスイン時に読み込むべき制御情報等を読み込もうとする。しかしながら、一の記録領域は本来フォーカスインすべき記録領域でないため、結果としてこのような制御情報を読み込むことはできない。このため、情報記録再生装置は、例えばその後の記録動作を続行することができない、或いは当該情報記録媒体は不良品であると判断する。このため、第２記録層にフォーカスインしてしまうことで、誤って第２記録層において記録情報の記録を行なう或いは情報記録再生装置の動作が暴走してしまう等の不都合を防ぐことが可能となる。この場合、例えば当該情報記録媒体をイジェクトし、再装填すれば、適切な記録層にフォーカスインすることができ、適切な記録動作を行うことが可能となる。【００１０】
特に、２層以上の記録層を有する情報記録媒体に対応していない情報記録再生装置であれば、２つの記録層を有する情報記録媒体であると判断することができないため、レーザ光がフォーカスインした記録層を適切な記録層として認識してしまうおそれがある。これは光ピックアップの暴走にもつながりかねない。しかるに本発明に係る情報記録媒体によれば、誤って適切でない記録層（例えば、第２記録層）にフォーカスインしても、その後の記録動作を継続することができないと認識し、例えば当該情報記録媒体をイジェクト等することができる。従って、２層以上の記録層を有する情報記録媒体に対応していない情報記録再生装置であっても、適切な記録動作を実現することができる。言い換えれば、今後普及が見込まれる２層以上の記録層を有する情報記録媒体に、このような情報記録再生装置を用いて、所望の記録層に適切に記録情報を記録することができる。これにより、現在市場に流通している既存の情報記録再生装置と今後の普及が見込まれる２層以上の記録層を有する情報記録媒体との互換性を採ることができるという点で、本発明に係る情報記録媒体は大きな利点を有している。【００１１】
以上説明したように、本発明の情報記録媒体によれば、本来第１記録層にレーザ光をフォーカスインしたい場合に、誤って第２記録層にフォーカスインしたとしても、適切に記録動作を継続することができる。即ち、例えばその際に情報記録媒体の再装填等の対応を施すことで、複数の記録層を有する情報記録媒体において、適切に記録情報を記録することが可能となる。【００１２】
本発明の情報記録媒体の他の態様は、少なくとも前記第２記録層は、スパイラル状又は同心円状の記録トラックを有しており、且つ前記記録情報は前記記録トラックに沿って記録され、前記一の記録領域の記録トラックと該一の記録領域を除く前記第２記録層の他の記録領域の記録トラックとの境界部分には、前記記録情報が記録されないミラー領域を備える。【００１３】
この態様によれば、一つの記録層中において、記録情報の記録方向が異なる複数の記録領域を適切に配置することができる。加えて、記録情報の記録方向が異なる複数の記録領域における境界部分をミラー領域（例えば、記録情報が未記録の領域）にすれば足りるため、当該情報記録媒体を比較的容易に製造することができるという利点をも有する。【００１４】
本発明の情報記録媒体の他の態様は、前記一の記録領域は、前記特定の記録領域と比較して大きい。【００１５】
この態様によれば、第２記録層に誤ってレーザ光がフォーカスインしてしまうという不都合をより効果的に認識することが可能となる。特に、貼り合わせ型の情報記録媒体にあっては、第１記録層と第２記録層との中心がずれる（即ち、偏心が発生する）ことがある。しかるに、この態様によれば、このようなズレをも見越して、相対的に大きな一の記録領域が設けられているため、仮に偏心が発生していても、そのズレを補うことが可能となる。【００１６】
本発明のこのような作用及び他の利得は次に説明する実施例から明らかにされる。【００１７】
以上説明したように、本発明の情報記録媒体は、第１記録層及び第２記録層を備え、特定の記録領域及び該特定の記録領域に対応する一の記録領域においては、記録情報が記録される方向が同一である。従って、複数の記録層を有する情報記録媒体において、適切に記録情報を記録することが可能となる。
【図面の簡単な説明】
【００１８】
【図１】本発明の情報記録媒体に係る第１実施例たる光ディスクの基本構造を示し、上側部分は複数のエリアを有する光ディスクの概略平面図であり、これに対応付けられる下側部分は、その径方向におけるエリア構造の図式的概念図である。
【図２】第１実施例に係る情報記録媒体としてのオポジットトラックパスの光ディスクのデータ構造を概念的に示すデータ構造図である。
【図３】第１実施例に係る情報記録媒体としてのオポジットトラックパスの光ディスクのデータ構造をより詳細に示すデータ構造図である。
【図４】第１実施例に係る光ディスクにおけるデータの記録の方向を概念的に示す平面図である。
【図５】比較例に係る情報記録媒体のデータ構造の例を概念的に示すデータ構造図である。
【図６】本実施例に係る光ディスクのＬ１層に設けられている記録トラックの分布の一の態様を概念的に示す平面図である。
【図７】本実施例に係る光ディスクのＬ１層に設けられている記録トラックの分布の他の態様を概念的に示す平面図である。
【図８】本実施例に係る光ディスクのＬ１層に設けられている記録トラックの分布の他の態様を概念的に示す平面図である。
【図９】本実施例に係る光ディスクのＬ１層に設けられている記録トラックの分布の他の態様を概念的に示す平面図である。
【図１０】本発明の情報記録媒体に係る第２実施例の光ディスクのデータ構造を概念的に示すデータ構造図である。
【図１１】本発明の情報記録媒体に係る第１又は第２実施例にデータを記録し又は記録されたデータを再生する情報記録再生装置のブロック図である。
【符号の説明】
【００１９】
１  情報記録装置
１００  光ディスク
１０２  リードインエリア
１１３  リードアウトエリア
１１３ａ  エリア
１０４、１１４  ミドルエリア
【発明を実施するための最良の形態】
【００２０】
以下、本発明を実施するための最良の形態について実施例毎に順に図面に基づいて説明する。【００２１】
（情報記録媒体の実施例）
（１）第１実施例
先ず、図１から図９を参照して、本発明の情報記録媒体に係る第１実施例について説明を進める。【００２２】
先ず、図１を参照して、本発明の情報記録媒体に係る第１実施例としての光ディスクについて説明する。ここに、図１は、上側に複数のエリアを有する光ディスクの構造を概略平面図で示すと共に、下側にその径方向におけるエリア構造を概念図で対応付けて示すものである。【００２３】
先ず図１を参照して、本発明の情報記録媒体に係る第１実施例としての光ディスクの基本構造について説明する。ここに、図１（ａ）は、本発明の情報記録装置の第１実施例の対象となる情報記録媒体に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００２４】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１１３、データエリア１０２（１１２）並びにミドルエリア１０４（１１４）が設けられている。そして、光ディスク１００の例えば、透明基板２００に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００２５】
尚、本発明は、このような三つのエリアを有する光ディスクには特に限定されない。例えば、リードインエリア１０１、リードアウトエリア１１３又はミドルエリア１０４（１１４）が存在せずとも、以下に説明するデータ構造等の構築は可能である。また、後述するように、リードインエリア１０１、リードアウト１１３又はミドルエリア１０４（１１４）は更に細分化された構成であってもよい。【００２６】
特に、本実施例に係る光ディスク１００は、図１（ｂ）に示されるように、例えば、透明基板に、本発明に係る第１及び第２記録層の一例を構成するＬ０層及びＬ１層が積層された構造をしている。そして、Ｌ０層には、リードインエリア１０１、データエリア１０２及びミドルエリア１０４が設けられており、Ｌ１層には、リードアウトエリア１１３、データエリア１１２及びミドルエリア１１４が設けられている。即ち、本実施例に係る光ディスク１００は、オポジットトラックパス方式の光ディスクである。【００２７】
このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００２８】
続いて、図２及び図３を参照して、第１実施例に係る光ディスクについて、より詳細に説明する。ここに、図２は、オポジットトラックパスの光ディスクのデータ構造を概念的に示すデータ構造図であり、図３は、オポジットトラックパスの光ディスクのデータ構造をより詳細に示すデータ構造図である。【００２９】
図２（ａ）に示すように、第１実施例に係る光ディスク１００は、本発明における「管理情報エリア」の一の具体例たるリードインエリア１０１、データエリア１０２及びミドルエリア１０４によりＬ０層が構成されており、本発明における「管理情報エリア」の他の具体例たるリードアウトエリア１１３、データエリア１１２及びミドルエリア１１４によりＬ１層が構成されている。【００３０】
リードインエリア１０２及びリードアウトエリア１１３には、光ディスク１００にデータを記録するため或いは光ディスク１００に記録されたデータを再生するために必要な各種制御情報が記録される。また、ミドルエリア１０４又は１１４は、データを記録する対象がＬ０層からＬ１層へと切り替わる際の干渉エリアとしての役割を果たしている。【００３１】
また、第１実施例に係る光ディスク１００は、オポジットトラック方式の光ディスクであるため、Ｌ０層においては、内周側から外周側に向かって本発明の「プリアドレス」の一具体例たる物理アドレスが増加し、Ｌ１層においては、外周側から内周側に向かって物理アドレスが増加するようにプリフォーマットアドレス情報が付されている。このプリフォーマットアドレス情報は、例えばＬＰＰ（Land Pre Pit）として付されていてもよいし、或いはトラックの遥動を示すウォブル（Ｗｏｂｂｌｅ）の周期として付されていてもよい。そして、映像データや音声データ或いはＰＣ用データ等のコンテンツ等を含んでなる各種データは、原則として物理アドレスが小さい側から大きい側に向かって記録されていく。即ち、第１実施例において、データの記録は後述の情報記録再生装置により物理アドレスが参照されながら行われ、原則として、物理アドレスが小さい記録領域から大きい記録領域に向かってデータが記録される。従って、ここでいう「記録の方向」とは、概ね物理アドレスが増加していく方向を示す趣旨である。具体的には、図２（ａ）中の太い矢印にて示すように、Ｌ０層においては、内周側から外周側に向かってデータが記録されていき、Ｌ１層においては、外周側から内周側に向かってデータが記録されていく。【００３２】
第１実施例では特に、Ｌ１層のリードアウトエリア１１３内における所定のエリア１１３ａ（即ち、本発明における「一の記録領域」の一具体例）においては、内周側から外周側に向かって物理アドレスが増加するようにプリフォーマットアドレス情報が付されている。従って、このエリア１１３ａにおいては、データ（この場合、各種制御情報）は、Ｌ０層におけるデータの記録方向と同一の方向に向かって（即ち、内周側から外周側に向かって）記録されていく。【００３３】
即ち、図２（ｂ）に示すように、Ｌ０層においては、物理アドレスの値は、内周側から外周側に向かって単調増加している。一方で、Ｌ１層においては、物理アドレスの値は、エリア１１３ａ中では内周側から外周側に向かって単調増加し、他方エリア１１３ａを除くエリア中では外周側から内周側に向かって単調増加している。【００３４】
このエリア１１３ａは、当該光ディスク１００にデータを記録する際に後述の情報記録再生装置により最初にレーザ光ＬＢが照射される（即ち、フォーカスインされる）Ｌ０層のエリアに対応するＬ１層のエリアを少なくとも含んでなる。即ち、エリア１１３ａの少なくとも一部は、Ｌ０層のエリアにレーザ光ＬＢが照射された場合、そのエリアと同一の或いは概ね同一の位置にあるＬ１層のエリアに相当する。【００３５】
尚、図２（ｂ）では、エリア１１３ａにおける物理アドレスの値は、Ｌ０層と異なる値を有するように説明されているが、もちろん、エリア１１３ａにおける物理アドレスの値は、対応するＬ０層における物理アドレスの値と同一の値を有するように構成してもよい。言い換えれば、エリア１１３ａにおいてはパラレルトラック方式と同様に物理アドレスを付し、エリア１１３ａを除くエリアにおいてはオポジットトラック方式と同様に物理アドレスを付すように構成してもよい。【００３６】
第１実施例の光ディスク１００のデータ構造についてより具体的に説明すると、図３に示すように、エリア１１３ａは、Ｌ０層のコントロールデータゾーン（即ち、本発明における「特定の記録領域」の一具体例）に対応するＬ１層のエリアを含んでなる。即ち、当該光ディスク１００が、情報記録再生装置に装填された場合、情報記録再生装置は、先ずこのコントロールデータゾーンにレーザ光を照射することで、その後のデータの記録動作を行う。そして、エリア１１３ａは、コントロールデータゾーンに対応するエリアから内周側に向かって光ディスク１００の最内周の位置に相当するエリアまで分布している。【００３７】
もちろん、最初にレーザ光が照射されるエリアがコントロールデータゾーン以外のエリアである場合は、エリア１１３ａは、コントロールデータゾーンに対応するエリアでなくともよいことは言うまでもない。【００３８】
ここで、データの記録の方向（即ち、物理アドレスが増加する方向）について、図４を参照してより概念的に説明する。ここに、図４は、第１実施例に係る光ディスクにおけるデータの記録の方向を概念的に示す平面図である。【００３９】
図４に示すように、Ｌ０層及びＬ１層上に設けられている記録トラックは、スパイラル状に分布している。図４（ａ）に示すように、Ｌ０層においては、内周側より外周側に向かって時計回りに記録トラックが形成されており、物理アドレスは矢印の方向に向かうにつれて増加する。他方、図４（ｂ）に示すように、Ｌ１層においては、エリア１１３ａにおいてＬ０層と同様に内周側より外周側に向かって時計回りに記録トラックが形成されており、物理アドレスは矢印の方向に向かうにつれて増加する。一方、エリア１１３ａを除くエリアにおいては、Ｌ０層とは逆に、外周側より内周側に向かって反時計回りに記録トラックが形成されており、物理アドレスは矢印の方向に向かうにつれて増加する。即ち、物理アドレスの分布に従って、各種データは、矢印の方向へ記録される。【００４０】
ここで、本実施例に係る光ディスク１００が有する優れた効果を説明するために、本実施例に係る光ディスクの比較例について、図５を参照して説明する。ここに、図５は、比較例に係る光ディスクのデータ構造を概念的に示すデータ構造図である。【００４１】
図５（ａ）に示すように、オポジットトラックパスの光ディスク１００ａにおいては、Ｌ０層のいずれのエリアにおいても、物理アドレスが内周側から外周側に向かって単調に増加し、Ｌ１層のいずれのエリアにおいても、物理アドレスが外周側から内周側に向かって単調に増加する。即ち、比較例に係る光ディスク１００においては、図５（ｂ）に示すように物理アドレスが付されている。そして、Ｌ０層のコントロールゾーンにレーザ光ＬＢが照射された場合、誤って対応するＬ１層のエリアにおいてレーザ光ＬＢがフォーカスインしてしまうことがある。このとき、情報記録再生装置は、そのフォーカスインしたエリアの物理アドレスを認識し、Ｌ１層において記録動作を継続しようとする。【００４２】
具体的にその場合の動作について以下に説明する。図５（ｂ）に示すように、Ｌ０層におけるアドレス値は、外周側（即ち、ミドルエリア１０４の側）へ向かうにつれて増加し、他方、Ｌ１層における物理アドレスの値は、外周側（即ち、ミドルエリア１１４の側）へ向かうにつれて減少する。そして、レーザ光ＬＢが誤ってＬ１層にフォーカスインした場合、情報記録再生装置は、より内周側に位置するであろう（即ち、より小さな物理アドレスの値を有するであろう）各種制御情報を読み取ろうとする。これは、Ｌ１層においてフォーカスインした位置における物理アドレスの値は、本来Ｌ０層において読み取るべき制御情報のアドレス値をよりも大きいためである。しかしながら、Ｌ１層においては、内周側へ向かうにつれて物理アドレスが増加するため、情報記録再生装置は適切な物理アドレスをサーチすべく、更に内周側へ光ピックアップを移動させる。このため、最終的には最内周側に位置するストッパーにより光ピックアップの移動が制限されるまでこの動作を継続することとなり、いわば光ピックアップの動作が暴走していることになる。このような事態は、適切な記録動作或いは迅速な記録動作という観点から好ましくない。【００４３】
しかるに、第１実施例に係る光ディスクであれば、Ｌ１層のエリア１１３ａにおいては、Ｌ０層と同様に、物理アドレスが内周側から外周側に向かって単調増加する。従って、レーザ光ＬＢが誤ってＬ１層にフォーカスインしたとしても、情報記録再生装置は、上述の如く内周側のエリアに向かって更にサーチすることはなく或いは仮にサーチしたとしても光ピックアップの動作が暴走することなく、結果として最内周に位置するストッパーにより移動が制限されるような不都合は生じない。そして、Ｌ１層には、本来読み取るべき各種制御情報が記録されていないため、結果として情報記録再生装置は各種記録情報を読み取ることができず、当該光ディスクは不良品である或いは適切でないと判断することができる。【００４４】
このとき、コントロールデータゾーンに対応するエリアを含んでなるエリア１１３ａには、少なくとも従来の情報記録再生装置では読み取ることが困難な或いは不可能なデータが記録されていてもよい。ここでいう従来の情報記録再生装置とは、例えば複数の記録層を有する多層型の光ディスクに対応していない情報記録再生装置である。また、読み取ることが困難な或いは不可能なデータとして、例えばＥＣＣ（Error Correction Code）によりエラー訂正ができないようなデータが記録されていてもよい。これにより、誤ってＬ１層にフォーカスインした場合であっても、当該フォーカスインしたエリアのデータを読み取ることができず、結果として当該光ディスクは不良品である或いは適切でないと判断することができる。【００４５】
そして、このような場合、情報記録再生装置により自動的に或いはユーザの操作により光ディスクを再装填すれば、適切にＬ０層にフォーカスインすることができ、その後の適切な記録動作を継続することができる。このとき、再度Ｌ１層にフォーカスインしてしまう等の不都合があれば、再び光ディスクの再装填をするように構成してもよいし、或いは当該光ディスクが全くの記録不可能ディスクであると判断し、ユーザに他の光ディスクを装填する旨の指示を出力するように構成してもよい。【００４６】
また、Ｌ１層のエリア１１３ａには、層フラグが記録されるように構成してもよい。この層フラグは、当該層フラグが記録されている記録層がＬ０層であるか或いはＬ１層であるかを判別可能な情報を含んでいる。従って、多層型の光ディスクに対応している情報記録再生装置であれば、この層フラグを読み取ることで、本来Ｌ０層にレーザ光をフォーカスインさせたいにも係わらず、誤ってＬ１層にフォーカスインしていると認識することができる。従って、上述したように当該光ディスク１００をイジェクトするように、或いは再度Ｌ０層にフォーカスインし直すことで、適切な記録動作を継続することが可能となる。【００４７】
また、層フラグに加えて又は代えて、光ディスクのバージョンを示すバージョン情報が記録するように構成してもよい。例えば、エリア１１３ａには、本来Ｌ０層のバージョンとは異なるバージョン情報を記録するように構成してもよい。このように構成しても、バージョン情報を読み取ることで、本来Ｌ０層にレーザ光をフォーカスインさせたいにも係わらず、誤ってＬ１層にフォーカスインしていると認識することができる。従って、上述したように当該光ディスク１００をイジェクトするように、或いは再度Ｌ０層にフォーカスインし直すことで、適切な記録動作を継続することが可能となる。【００４８】
このように、層フラグ或いはバージョンフラグが記録されている場合でも、エリア１１３ａにおける物理アドレスの増減の方向がＬ０層のそれと同一であるということが重要になることはいうまでもない。即ち、エリア１１３ａにおける物理アドレスの増減の方向がＬ０層のそれえと同一であるがゆえに光ピックアップの動作の暴走を抑えることができ、その結果として層フラグやバージョンフラグを読み取ることができるのである。【００４９】
いずれにせよ、第１実施例に係る光ディスクのように、Ｌ１層のエリア１１３ａ中の物理アドレスの増減の方向（即ち、データの記録方向）がＬ０層のそれと同一となるように構成することで、適切な記録動作を継続できる。更には、上述の如く、例えばストッパーにより光ピックアップの移動が制限されるまでＬ１層をサーチするような無駄な動作を避けることができ、迅速な記録動作を実現することが可能となる。或いは、光ピックアップの動作の暴走を抑えることが可能となる。特に、２層以上の記録層を有する光ディスクに対応していない既存の情報記録再生装置であっても、誤ってエリア１１３ａにフォーカスインすれば、当該光ディスクは不良ディスクである或いは適切な光ディスクでないと判断することができる。従って、例えば再装填等の対応を適切にとることができ、適切な記録動作を継続することが可能となる。【００５０】
尚、本実施例では、コントロールデータゾーンに対応するエリアから最内周側に位置するエリアにまで広い記録領域においてエリア１１３ａが分布している。しかしながら、上述の如く、最内周側に位置するストッパーにより光ピックアップの移動が制限されるまでＬ１層をサーチするという不都合を防止するという観点からは、少なくともコントロールデータゾーンに対応するエリアをエリア１１３ａとすれば足りる。【００５１】
また、上述した実施例では、２つの記録層を有する光ディスクを具体例として説明を進めたが、もちろん３つ以上の複数の記録層を有する光ディスクであっても同様の構成を採ることは可能である。【００５２】
続いて、図６から図９を参照して、本実施例に係る光ディスクにおいて、Ｌ１層に設けられている記録トラックの分布の具体的態様について説明する。ここに、図６から図９は、本実施例に係る光ディスクのＬ１層に設けられている記録トラックの分布の態様を概念的に示す平面図である。【００５３】
図６に示すように、エリア１１３ａに相当する記録トラックは一のスパイラル（或いは、一の同心円）として収束し、他方エリア１１３ａを除く他のエリアに相当する記録トラックは、この一のスパイラルとは異なる他のスパイラル（或いは、他の同心円）に収束するように構成してもよい。このように構成することで、エリア１１３ａとその他のエリアとを適切に区別することができる。【００５４】
図７に示すように、エリア１１３ａに相当する記録トラックとエリア１１３ａを除く他のエリアに相当する記録トラックとが同一のスパイラルに収束するように構成してもよい。この場合、エリア１１３ａの最外周におけるエリアとエリア１１３ａを除く他のエリアの最内周におけるエリアとは同一位置で収束するように構成してもよいし、或いは図７に示すよう、異なる位置で収束するように構成してもよい。このように構成することで、エリア１１３ａとその他のエリアとを適切に区別することができる。【００５５】
図８に示すように、エリア１１３ａに相当する記録トラックとエリア１１３ａを除く他のエリアに相当する記録トラックとの境界部分がミラー領域となるように構成してもよい。ここでのミラー領域とは、データが何も記録されていない記録エリアを示すものである。このように構成しても、エリア１１３ａとその他のエリアとを適切に区別することができる。また、このように構成することは、当該光ディスク１００を比較的容易に製造することができるという利点をも有している。【００５６】
図９に示すように、エリア１１３ａに相当する記録トラックとエリア１１３ａを除く他のエリアに相当する記録トラックとが、何れかの位置において交差するように構成してもよい。このように構成しても、データは記録トラックに沿って記録されるため、エリア１１３ａとその他のエリアとを適切に区別することができる。また、夫々の記録トラックを独立に形成すれば足りるため、当該光ディスク１００を比較的容易に製造することができるという利点をも有している。【００５７】
もちろん、図６から図９に示したような記録トラックの態様に限られることはない。即ち、エリア１１３ａとその他のエリアとが適切に区別できるような態様、或いは、記録方向を変えることができる（即ち、エリア１１３ａにおけるデータの記録方向をＬ０層のそれと同一にする）ような態様であれば、本発明の範囲に含まれることは言うまでもない。【００５８】
（２）第２実施例
続いて、図１０を参照して、本発明の情報記録媒体に係る第３実施例について説明する。ここに、図１０は、第２実施例に係る光ディスクのデータ構造を概念的に示すデータ構造図である。【００５９】
図１０に示すように、第２実施例に係る光ディスク１００ｂも、第１実施例に係る光ディスクと同様のデータ構造を採る。即ち、Ｌ０層においてレーザ光が最初に照射されるエリアに対応するＬ１層のエリアを含んでなるエリア１１３ａにおける物理アドレスの増減の方向（即ち、データの記録方向）は、Ｌ０層のそれと同一である。【００６０】
第２実施例では特に、エリア１１３ａの外周側における境界部分が、Ｌ０層においてレーザ光ＬＢが照射されるエリアの外周側における境界部分と比較して、より外周側に位置している。具体的には、エリア１１３ａの外周側における境界部分は、Ｌ０層においてレーザ光ＬＢが照射されるエリアの外周側における境界部分よりも、７０μｍ程度外周側に位置している。この「７０μｍ」なる大きさは、複数の記録層を有するＤＶＤにおいて、規格上許容される偏心の大きさである。【００６１】
このように偏心を考慮して制御情報が記録されないエリア１１３ａの大きさを定めることで、誤ってＬ１層にレーザ光ＬＢがフォーカスインしてしまった際の光ピックアップの動作の暴走等の不都合をより適切に抑えることができる。即ち、偏心が発生しているがゆえに、Ｌ０層のコントロールデータゾーンとそれに対応するエリア１１３ａとが、レーザ光に対して適切に対応していないということもあり得る。このとき、第２実施例の如くエリア１１３ａの大きさを予め大きくしておけば、偏心が発生していたとしても、コントロールデータゾーンに対応するエリアとエリア１１３ａとの夫々の物理アドレスの増加の方向が同一である光ディスクを実現することができる。【００６２】
尚、光ディスク１００の偏心の大きさが予め判明していれば、７０μｍという大きさに代えて、その偏心量だけエリア１１３ａの境界部分を外周側にずらすように構成してもよい。【００６３】
（情報記録再生装置）
次に図１１を参照して、本発明に係る情報記録媒体を用いてデータの記録再生を行う情報記録装置に係る実施例の構成及び動作について説明する。ここに、図１１は、本発明の実施例に係る情報記録再生装置３００のブロック図である。尚、情報記録再生装置３００は、光ディスク１００に記録データを記録する機能と、光ディスク１００に記録された記録データを再生する機能とを備える。【００６４】
図１１を参照して情報記録再生装置３００の内部構成を説明する。情報記録再生装置３００は、プロセッサ３５４の制御下で、光ディスク１００に情報を記録すると共に、光ディスク１００に記録された情報を読み取る装置である。【００６５】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作ボタン３１０、表示パネル３１１、及びバス３５７により構成されている。【００６６】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【００６７】
光ピックアップ３５２は光ディスク１００への記録再生を行うもので、レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００６８】
信号記録再生手段３５３は、スピンドルモータ３５１と光ピックアップ３５２を制御することで光ディスク１００に対して記録再生を行う。【００６９】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【００７０】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、プロセッサ３５４が動作するためのソフトウェアは、メモリ３５５に格納されている。【００７１】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【００７２】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。【００７３】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをプロセッサ３５４で実行させることでレコーダ機器としての動作を行っている。【００７４】
本実施例では特に、光ディスク１００は、上述の如くＬ１層のエリア１１３ａにおける物理アドレスの増加方向（即ち、データの記録方向）がＬ０層におけるそれと同一であるため、誤ってＬ１層においてレーザ光ＬＢがフォーカスインしたとしても、適切な記録動作を継続することが可能となる。【００７５】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【００７６】
本発明は、上述した実施例に限られるものではなく、請求の範囲及び明細書全体から読み取れる発明の要旨或いは思想に反しない範囲で適宜変更可能であり、そのような変更を伴なう情報記録媒体もまた本発明の技術的範囲に含まれるものである。
【産業上の利用可能性】
【００７７】
本発明に係る情報記録媒体は、例えば、ＤＶＤ等の高密度記録媒体に利用可能である。
【図１】
2005093726.tif 000002
【図２】
2005093726.tif 000003
【図３】
2005093726.tif 000004
【図４】
2005093726.tif 000005
【図５】
2005093726.tif 000006
【図６】
2005093726.tif 000007
【図７】
2005093726.tif 000008
【図８】
2005093726.tif 000009
【図９】
2005093726.tif 000010
【図１０】
2005093726.tif 000011
【図１１】
2005093726.tif 000012
【国際調査報告】
2005093726.tif 000013
2005093726.tif 000014